(57)【要約】【課題】簡単な構造で着脱が容易で物品を良好に保護できる屋外保護カバーを提供する。【解決手段】ラミネートクロスシートなどの可撓性の部材にて底面に開口21を有し内側に四角柱状の収容空間22を区画する本体部２を形成する。本体部２の開口縁に周縁に沿って紐状部材３を挿通する嵌挿部を設ける。嵌挿部25は、紐状部材３の引出端部31を引き出す一角部に設けた引出切欠部26と、他の３つの角部からそれぞれ所定の距離で対をなして離間し角部を挟む位置に設けた切欠対部27を有する。紐状部材３の引出端部31を本体部２に対して相対的に引っ張って絞り上げる際に容易に締め付けでき、外れにくいとともに、被せる際や取り外す際に紐状部材３が引っ掛かるなどの不都合が無く容易に着脱できる。【選択図】図１
0003154380.tif 000002
【実用新案登録請求の範囲】
【請求項１】
底面を開口し内側に角柱状の収容空間を区画する可撓性の本体部と、
この本体部の開口縁近傍に前記開口縁に沿って配設され、前記本体部の開口を絞る紐状部材と、を具備し、
前記本体部は、開口縁近傍に前記開口縁に沿って前記紐状部材が挿通される筒状で、前記紐状部材の両端部が引き出される前記底面の一角部と、前記底面の他の各角部からそれぞれ所定の距離で対をなして離間し前記他の角部を挟む位置とで切欠部を有した嵌挿部を備えた
ことを特徴とした屋外保護カバー。
【請求項２】
請求項１に記載の屋外保護カバーであって、
前記他の角部を挟む位置の対をなす切欠部は、それぞれ前記他の角部から等距離の位置に設けられた
ことを特徴とした屋外保護カバー。
【請求項３】
請求項１または請求項２に記載の屋外保護カバーであって、
前記切欠部は、前記開口縁の周方向の幅寸法が５０ｍｍ以上１５０ｍｍ以下である
ことを特徴とした屋外保護カバー。
【請求項４】
請求項１から請求項３までのいずれか一項に記載の屋外保護カバーであって、
前記嵌挿部は、前記本体部の開口縁から延設した舌片部が折り返されて筒状に形成された
ことを特徴とした屋外保護カバー。
【請求項５】
底面を開口し内側に角柱状の収容空間を区画する可撓性の本体部と、
この本体部の開口縁近傍に前記開口縁に沿って配設され、前記本体部の開口を絞る紐状部材と、を具備し、
前記本体部は、開口縁近傍に前記開口縁に沿って軸方向を有し前記紐状部材が挿通される筒状の挿通部が、前記紐状部材の両端部が引き出される前記底面の一角部を除く他の角部分に設けられるとともに、前記底面の角部間の各辺の位置で、前記角部分に設けられた挿通部に所定の間隙を介する位置に設けられた
ことを特徴とした屋外保護カバー。
【請求項６】
請求項５に記載の屋外保護カバーであって、
前記間隙は、同一である
ことを特徴とした屋外保護カバー。
【請求項７】
請求項５または請求項６に記載の屋外保護カバーであって、
前記挿通部間の間隙の距離は、５０ｍｍ以上１５０ｍｍ以下である
ことを特徴とした屋外保護カバー。
【請求項８】
請求項５から請求項７までのいずれか一項に記載の屋外保護カバーであって、
前記挿通部は、前記本体部の開口縁から延設した舌片部が折り返されて筒状に形成された
ことを特徴とした屋外保護カバー。
【請求項９】
請求項１から請求項８までのいずれか一項に記載の屋外保護カバーであって、
前記紐状部材は、引き出された両端部が一体的に連結された
ことを特徴とした屋外保護カバー。
【請求項１０】
請求項１から請求項９までのいずれか一項に記載の屋外保護カバーであって、
前記本体部は、前記収容空間が立方体または直方体形状である
ことを特徴とした屋外保護カバー。
【考案の詳細な説明】
【技術分野】
【０００１】
本考案は、屋外に設置される物品に着脱可能に取り付けられる屋外保護カバーに関する。
【背景技術】
【０００２】
従来、例えばパレットに積載された物品は、積み込み準備などのために屋外に設置される場合がある。この場合、風雨から物品を保護する目的で、シートを被せている。しかしながら、シートを被せる場合、風などによりシートが取れやすいため、粘着テープで固定したり、ゴムバンドなどで固定したりすることが実施されているが、作業性の向上が望まれている。
そこで、取り付ける構成を備えた専用のカバーを被せたりすることが知られている（例えば、特許文献１または２参照）。
【０００３】
特許文献１に記載のものは、底面を開放した直方体に成形したカバーで、側面に縦方向の切れ目を設けてこの切れ目を開閉する連結具を設けている。しかしながら、この構成では、切れ目が設けられているので、荷崩れを防止することは可能であるが、切れ目から雨が進入して物品を濡らしてしまうおそれがある。
特許文献２に記載のものは、底面開口部の４辺のうち、１対の下部対向辺がそれぞれ同一側面側上の上部対向辺より長く形成した略直方体状の本体に、本体側方の辺を間に挟む本体側面の開口部近傍に、両側面を互いに引き寄せた状態で一時固定可能な圧着部を有した一時固定手段を対向側辺近傍に少なくとも１対設けている。しかしながら、構造が複雑で製造性の向上が得られにくいとともに、本体の対向位置で固定作業をそれぞれ実施する必要があり作業性の向上も得られにくいおそれがある。
【先行技術文献】
【特許文献】
【０００４】
【特許文献１】実開昭５７−１６２１６０号公報
【特許文献２】実用新案登録第３０４２９７０号公報
【考案の概要】
【考案が解決しようとする課題】
【０００５】
上述したように、特許文献１に記載のような切れ目の位置で開閉する従来の構成では、雨水などの進入による物品の保護が十分に図れないおそれがある。また、特許文献２に記載のような一時固定手段を対向位置に設けた従来の構成では、構造が複雑で、製造性や作業性の向上が図りにくいおそれがある。
【０００６】
本考案は、上述した点に鑑み、簡単な構造で着脱が容易で物品を良好に保護する屋外保護カバーを提供することを目的とする。
【課題を解決するための手段】
【０００７】
本考案に記載の屋外保護カバーは、底面を開口し内側に角柱状の収容空間を区画する可撓性の本体部と、この本体部の開口縁近傍に前記開口縁に沿って配設され、前記本体部の開口を絞る紐状部材と、を具備し、前記本体部は、開口縁近傍に前記開口縁に沿って前記紐状部材が挿通される筒状で、前記紐状部材の両端部が引き出される前記底面の一角部と、前記底面の他の各角部からそれぞれ所定の距離で対をなして離間し前記他の角部を挟む位置とで切欠部を有した嵌挿部を備えたことを特徴とする。
この考案では、取り付ける際には、物品に被せ、紐状部材の引き出された両端部を引っ張ることで、特に切欠部で本体部が手繰り寄せられる状態となって開口が絞られ、固定される。物品に被せる際、底面の紐状部材を引き出す一角部以外の角部では、紐状部材が嵌挿部内に挿通されているので、物品に紐状部材が引っ掛からずに被せられる。固定された状態では、開口縁が絞られており、開口から雨水が浸入しにくい。取り外し際には、紐状部材を弛めて開口を広げて取り外す。この取り外す際にも、紐状部材が物品に引っ掛からずに取り外せる。
このことにより、固定のための紐状部材を挿通する嵌挿部が角部に位置するので、着脱時に紐状部材が引っ掛からずに容易に着脱できる。さらに、角部を挟む位置で対をなす切欠部により、取付時の本体部の開口の絞りまたは取り外し時の開口の広げが容易で、単に紐状部材を引っ張ったり弛めたりするのみで容易に着脱できる。そして、開口縁に切欠部が点在する筒状の嵌挿部を設ける簡単な構造で、容易に製造できる。
【０００８】
そして、本考案では、前記他の角部を挟む位置の対をなす切欠部は、それぞれ前記他の角部から等距離の位置に設けられた構成とすることが好ましい。
この構成により、切欠部が角部から等距離に位置することから、特に開口の絞りが容易にできるとともに、対をなす切欠部が角部から対象の位置となるので、構造のさらなる簡略化により、製造性の向上が図れる。
【０００９】
また、本考案では、前記切欠部は、前記開口縁の周方向の幅寸法が５０ｍｍ以上１５０ｍｍ以下である構成とすることが好ましい。
この構成により、紐状部材を引っ張って開口を絞ったり、紐状部材を弛めて開口を広げたりすることが容易にできるとともに、本体部を物品に被せる際や取り外す際に紐状部材が物品に引っ掛かることを防止でき、着脱作業が容易にできる。
【００１０】
さらに、本考案では、前記嵌挿部は、前記本体部の開口縁から延設した舌片部が折り返されて筒状に形成された構成とすることが好ましい。
この構成によれば、本体部の開口縁から延設した舌片部を折り返して複数の筒状の部材を形成して切欠部を有する嵌挿部を構成することにより、嵌挿部が容易に形成される。
【００１１】
本考案に記載の屋外保護カバーは、底面を開口し内側に角柱状の収容空間を区画する可撓性の本体部と、この本体部の開口縁近傍に前記開口縁に沿って配設され、前記本体部の開口を絞る紐状部材と、を具備し、前記本体部は、開口縁近傍に前記開口縁に沿って軸方向を有し前記紐状部材が挿通される筒状の挿通部が、前記紐状部材の両端部が引き出される前記底面の一角部を除く他の角部分に設けられるとともに、前記底面の角部間の各辺の位置で、前記角部分に設けられた挿通部に所定の間隙を介する位置に設けられたことを特徴とする。
この考案では、取り付ける際には、物品に被せ、紐状部材の引き出された両端部を引っ張ることで、特に挿通部間の本体部が手繰り寄せられる状態となって開口が絞られ、固定される。物品に被せる際、底面の紐状部材を引き出す一角部以外の角部では、紐状部材が嵌挿挿通部内に挿通されているので、物品に紐状部材が引っ掛からずに被せられる。固定された状態では、開口縁が絞られており、開口から雨水が浸入しにくい。取り外す際には、紐状部材を弛めて開口を広げて取り外す。この取り外す際にも、紐状部材が物品に引っ掛からずに取り外せる。
このことにより、固定のための紐状部材を挿通する挿通部が角部に位置するので、着脱時に紐状部材が物品に引っ掛からずに容易に着脱できる。さらに、角部を挟む角部から所定の位置で、角部の挿通部に隣接する挿通部との間隙により、取付時の本体部の開口の絞りまたは取り外し時の開口の広げが容易で、単に紐状部材を引っ張ったり弛めたりするのみで容易に着脱できる。そして、開口縁に紐状部材を挿通する挿通部が点在する簡単な構造で、容易に製造できる。
【００１２】
そして、本考案では、前記間隙は、同一である構成とすることが好ましい。
この構成により、角部に位置する挿通部とこの挿通部に隣接する挿通部間の間隙が同一すなわち間隙が角部から等距離に位置することとなり、特に開口の絞りが容易にできるとともに、角部を挟む位置に対をなす状態に間隙が位置するので、構造のさらなる簡略化により、製造性の向上が図れる。
【００１３】
また、本考案では、前記挿通部間の間隙の距離は、５０ｍｍ以上１５０ｍｍ以下である構成とすることが好ましい。
この構成により、紐状部材を引っ張って開口を絞ったり、紐状部材を弛めて開口を広げたりすることが容易にできるとともに、本体部を物品に被せる際や取り外す際に紐状部材が物品に引っ掛かることを防止でき、着脱作業が容易にできる。
【００１４】
さらに、本考案では、前記挿通部は、前記本体部の開口縁から延設した舌片部が折り返されて筒状に形成された構成とすることが好ましい。
この構成により、本体部の開口縁から延設した舌片部を折り返して筒状の挿通部を形成することにより、挿通部が容易に形成される。
【００１５】
そして、本考案では、前記紐状部材は、少なくとも引き出された両端部を、明色もしくは注意喚起を促す黄色系または赤色系とすることもできる。
この構成により、引き出された紐状部材の両端部が視認し易いので、着脱時に紐状部材の引き出された両端部を引っ張ったり弛めたりする作業をする際の紐状部材の両端部を見付けやすく、作業性が向上する。
【００１６】
また、本考案では、前記紐状部材は、引き出された両端部が一体的に連結された構成とすることが好ましい。
この構成により、紐状部材の引き出された両端部を一体的に連結することで、紐状部材の一端側のみ引っ張って外れてしまうなどの不都合が防止され、一体的に連結する部分を持って引っ張ったり弛めたりすればよく、作業性が向上する。
【００１７】
さらに、本考案では、前記本体部の外表面を銀色系とすることもできる。
この構成により、太陽光から物品を保護できるとともに、外部から視認しやすく、外部から衝突するなどの不都合を防止できる。
【００１８】
また、本考案では、前記本体部は、前記収容空間が立方体または直方体形状である構成とすることが好ましい。
この構成により、例えば広く利用されているパレット積みの物品に適用できるとともに、底面が四角形であることから、構造が簡単で引っ掛かる不都合なく開口の絞りや広げ作業が特に顕著に容易となる。
【図面の簡単な説明】
【００１９】
【図１】本考案の一実施形態に係る屋外保護カバーを示す下方からの斜視図である。
【図２】本実施形態の屋外保護カバーを示す上方からの斜視図である。
【図３】本実施形態の屋外保護カバーにおける紐状部材と切欠部との関係を模式的に示す説明図である。
【図４】本考案を説明するための比較例１の屋外保護カバーの紐状部材と切欠部との関係を模式的に示す説明図である。
【図５】本考案を説明するための比較例６の屋外保護カバーの紐状部材と切欠部との関係を模式的に示す説明図である。
【考案を実施するための形態】
【００２０】
以下、本考案の一実施形態を図面に基づいて説明する。
図１は、本実施形態における屋外保護カバーを示す下方からの斜視図である。図２は、本実施形態の屋外保護カバーを示す上方からの斜視図である。図３は、本実施形態の屋外保護カバーにおける紐状部材と切欠部との関係を模式的に示す説明図である。
【００２１】
（屋外保護カバーの構成）
図１〜３に示すように、屋外保護カバー１は、例えばパレットに積載された物品を覆うカバーである。具体的には、樹脂を収納した樹脂袋、穀物を収納した穀物袋、樹脂を比較的に多量に収納したフレキシブルコンテナなどの物品を保護するものである。この屋外保護カバー１は、底面に開口21を有し内側に角柱状、例えば四角柱状の収容空間22を区画する可撓性の本体部２を備えている。
この本体部２は、例えば、基材シート23から適宜織り込まれて収容空間22を有する直方体状に形成される。
本体部２の寸法は、物品全体である目的物の各辺の寸法に対してそれぞれ５０〜１５０ｍｍ程度大きい寸法に設定することが好ましい。これにより、屋外保護カバー１の着脱や開口の絞りが容易となる。具体的には、パレット積みされた物品全体である目的物の横寸法が１４００ｍｍ、縦寸法が１１５０ｍｍである場合、本体部２の底面の横寸法が１４５０〜１５５０ｍｍ、縦寸法が１２００〜１３００ｍｍとすることが好ましい。なお、高さ寸法については、物品が露出しなければよい。
【００２２】
基材シート23としては、ポリエチレンやポリプロピレンなど、屋外で利用される材料であれば特に限定されないが、耐候性や防水性を備えたものが好ましい。
また、基材シート23は、単層に限らず、多層構造のシート部材や、合成繊維などを編み込んだ織布あるいは不織布、織布をラミネートコーティングしたラミネートクロスシートなども適用できる。特に、ラミネートクロスシートは、広く利用されて安価に流通されており、可撓性があり強度も高いことから好ましい材料である。
【００２３】
ここで、クロスシートは、一般に、ポリエチレン、ポリプロピレンまたはビニロンなどの原料を押出、延伸などして得られた薄いテープ状の長い糸（フラットヤーンまたはテープヤーンと呼ばれる）を、平織りなどにより製織加工して布状にしたものである。クロスシートを構成するフラットヤーンは、延伸されることにより引張強度が高いため、クロスシートも突き刺し強度が高く、また、面方向の剛性も高くなる。したがって、クロスシートを用いれば、当該諸特性を付与させることができるので好ましい。本考案においては、ポリエチレンを押出、延伸処理したフラットヤーンを用いたポリエチレンクロスシートを用いることが好ましい。
そして、多層構造の場合、これら各材料を用いて、ドライラミネートしたりするなど、通常用いられる公知の貼り合わせ手段を用いて調製すればよい。また、最外層、特にアルミニウム層が最外層となる場合にあっては、その表面に保護層として、例えば、ポリエチレンテレフタレート（ＰＥＴ）などのポリエステルの各種樹脂材料などをラミネートまたはコーティングしてもよい。
【００２４】
また、基材シート23として、例えば厚み寸法が通常１０μｍ以上３ｍｍ以下、好ましくは０．１ｍｍ以上１ｍｍ以下であることが好ましい。
ここで、厚み寸法が１０μｍ未満であると、シール強度、袋強度が弱くなる場合があるためである。一方、厚み寸法が３ｍｍを超えると、柔軟性が低下して屋外保護カバー１を取付固定が困難となるおそれがあるためである。
【００２５】
また、本体部２は、外表面が銀色系に形成されていることが好ましい。この本体部２の色は、着色された基材シート23を利用したり、本体部２を形成した後に外表面を着色したりするなど、各種方法を適用できる。
そして、本体部２の耐候性や防水性などは、上述した耐候性や防水性の基材シート23を用いる構成に限らず、本体部２を形成した後に耐候性材料や撥水性材料などを用いて表面処理するなどしてもよい。
さらに、蛍光塗料や蓄光塗料あるいは反射塗料などを用いて全体もしくは部分的に着色するなどしてもよい。
【００２６】
また、本体部２には、袋状部24が設けられている。
この袋状部24は、例えば透光性を有する部材にて、物品やその物品の搬送先などの各種情報を有した書類や札などを出し入れ可能で外部から視認可能な袋状に形成されたものが取り付けられて構成されている。なお、透光性を有する部材にて形成された場合に限らず、本体部２と同様に遮光性の部材にて形成されたり着色されたりしたものでもよい。
また、袋状部24は、本体部２の一側面に限らず、対向する側面、各側面など、複数箇所に設けてもよい。
【００２７】
本体部２には、開口縁に沿った軸方向を有し紐状部材３が挿通される筒状の嵌挿部25が開口縁に設けられている。この嵌挿部25は、紐状部材３の両端部分である引出端部31が引き出される底面の一角部に切欠部である引出切欠部26を有するとともに、一角部以外の底面の他の角部からそれぞれ所定の距離で対をなして離間し角部を挟む位置に切欠部である切欠対部27を有している。
すなわち、本体部２には、開口縁に沿った軸方向を有し紐状部材３を挿通する筒状で、紐状部材３の両端部である引出端部31が引き出される一角部以外の底面の他の３つの角部の位置に挿通部である角挿通部28が設けられている。さらに、本体部２には、３つの角部間の各辺の位置に角挿通部28に所定の間隙を介した位置に挿通部としての辺挿通部29が設けられている。そして、角挿通部28と辺挿通部29との間の間隙が切欠対部27に対応し、辺挿通部29間の間隙が引出切欠部26に対応し、これら間隙を介して配設された角挿通部28および辺挿通部29にて嵌挿部25が構成される。
【００２８】
また、切欠対部27は角部から等距離、すなわち角部の近傍に位置する対をなす切欠対部27は角部からそれぞれ等距離に設けられていることが好ましい。すなわち、屋外保護カバー１を取り付ける際に開口21を絞った際に本体部２の各側面における角部近傍の位置で絞りが容易となり、物品を包み込むような状態が容易に得られる。
これら切欠対部27は、角部側の一端が具体的には角部から開口縁の周方向における距離で５０ｍｍ以上１５０ｍｍ以下の位置で等距離に設けられることが好ましい。角部から５０ｍｍより短い距離の位置となると、角挿通部28の長さ寸法が十分に確保されず、屋外保護カバー１を着脱する際に紐状部材３が引っ掛かるおそれがある。一方、角部から１５０ｍｍより離れた位置では、開口21を絞った際に本体部２を良好に絞りにくくなり、開口21を絞る際に力が必要となるなど作業が煩雑となるおそれがある。これらのことから、切欠対部27は角部から５０ｍｍ以上１５０ｍｍ以下の位置に設けることが好ましい。
さらに、切欠対部27は、開口縁の周方向における幅寸法が５０ｍｍ以上１５０ｍｍ以下で設けることが好ましい。切欠対部27の幅寸法が５０ｍｍより狭くなると、切欠対部27の位置で本体部２が良好に絞られにくくなり、開口21を絞る際に力が必要となるなど作業が煩雑となるおそれがある。一方、切欠対部27の幅寸法が１５０ｍｍより広くなると、紐状部材３の露出する箇所が広くなり、物品に引っ掛かって着脱性が損なわれるおそれがあるとともに、切欠対部27から雨水が浸入するおそれが高まる。これらのことから、切欠対部27の幅寸法は、５０ｍｍ以上１５０ｍｍ以下とすることが好ましい。
また、引出切欠部26は、開口縁の周方向における角部から５０ｍｍ以上１５０ｍｍ以下の位置までの領域で切欠形成されることが好ましい。角部から５０ｍｍより短い位置では、引出切欠部26の十分な幅寸法が得られず、紐状部材３の引っ張りや弛めが困難となったり、引出切欠部26の位置で本体部２が良好に絞られにくくなったりし、作業が煩雑となるおそれがある。一方、１５０ｍｍより離れた位置では、引出切欠部26の幅寸法が広くなりすぎ、本体部２が良好に絞られにくくなって作業性が煩雑となるおそれがあるとともに、雨水が浸入するおそれが高まる。これらのことから、引出切欠部26は、角部から５０ｍｍ以上１５０ｍｍ以下の位置までの範囲に設けることが好ましい。
【００２９】
ここで、引出切欠部26および切欠対部27の幅寸法の合計（Ｗ）は、目的物の外周長（Ａ）と、屋外保護カバー１の外周長（Ｂ）との差より幅広に形成することが好ましい（Ｗ＞（Ｂ−Ａ））。これにより、紐状部材３を目的物外周長よりも短くなるまで絞ることができるようになり、屋外保護カバー１の取付時に外れにくくすることが可能となる。
具体的には、パレットに積載された目的物の外周長が５１００ｍｍ（横寸法が１４００ｍｍ、縦寸法が１１５０ｍｍ）で、屋外保護カバー１の外周長が５３００ｍｍ（横寸法が１４５０ｍｍ、縦寸法が１２００ｍｍ）である場合、目的物全体の外周との差は２００ｍｍとなり、外周長の短い各種目的物に対応できるようにＷの値はこれらの寸法より広い寸法の８００ｍｍとしている。
【００３０】
角挿通部28および辺挿通部29は、例えば、本体部２と同材質すなわち基材シート23にて長手帯状の両端部を重ねて接合し筒状に形成されて本体部２の開口縁に取り付けられている。
なお、筒状に形成する方法としては、縫合技術を利用したり、ヒートシールしたり、接着剤にて接合したり、各種方法を利用できる。また、本体部２に取り付ける方法も同様に、各種方法が利用できる他、例えば、本体部２の開口縁から延設した舌片状の部分を折り返して筒状に形成して一体に設ける構成なども適用できる。この一体に設ける方法では、工程数が減少し、製造性の向上が図れる。さらに、舌片状の部分の折り返す側としては、外面側とすることが好ましい。この構成により、本体部２と嵌挿部25との間で収容空間22側に段差が生じることがなく、屋外保護カバー１の着脱時に段差が物品に引っ掛かることも防止でき、より円滑な着脱作業を提供できる。
【００３１】
紐状部材３は、両端部が嵌挿部25から引出切欠部26より外部に引き出されている。そして、紐状部材３の両端部の引出端部31は、結び目32により一体的に連結されて、抜け止めされている。この連結する構成としては、結び目32を設ける他、留め具を用いたり、接着剤や粘着テープなどにて取り付けたり、各種構成を適用できる。
この紐状部材３は、各種部材が適用でき、紐のように撚り合わせないものや縄などのように撚り合わせたものなど、可撓性であればよく、材質も化学繊維や天然繊維を用いるもの、ワイヤーロープなどの金属を用いるもの、ゴム紐のような伸縮性を有するものなどをも利用できる。
紐状部材３は、少なくとも引き出された両端の引出端部31が、白色や黄色あるいは銀色などの明色もしくは注意喚起を促す黄色系または赤色系に着色されていてもよい。なお、これらの色の粘着テープを巻き付けたり、これらの色の紐を取り付けたりしてもよい。また、紐状部材３の全体が明色もしくは注意喚起を促す黄色系または赤色系に着色されていてもよい。
そして、紐状部材３の引出端部31には、これら引出端部31を本体部２の嵌挿部25に対して引っ張って本体部２の開口21を絞った状態を維持したり維持した状態を解除したりする固定部材33が設けられていることが好ましい。この固定部材33としては、紐や綱などの留め具として利用される各種構造のものを利用できる。
【００３２】
（屋外保護カバーの利用）
次に、屋外保護カバー１の利用に関して、図面を参照して説明する。
屋外保護カバー１の利用に際しては、まず、本体部２の開口21が絞られていない状態に開口21を広げた状態としておく。そして、物品を上方から覆うように屋外保護カバー１を被せ、本体部２の開口21から収容空間22内へ物品を収容させる。
この覆い被せる際、物品の角部分とガイドして本体部２の角部とを位置合わせして被せるのが通常実施されるので、本体部２の角部分に対応する紐状部材３が角挿通部28に挿通された状態であることから、物品に引っ掛かることなく、円滑に覆い被せることができる。そして、屋外保護カバー１を被せた状態では、紐状部材が物品とパレットとの間に位置するようにする。
この後、紐状部材３の引出端部31を本体部２に対して引っ張るようにして本体部２の開口を絞る。この際、本体部２は、特に切欠対部27の位置で折り重なるように絞られ、最大に絞られた場合、角挿通部28と辺挿通部29とが接触する。
そして、紐状部材３の固定部材33を紐状部材３の中間部側に相対的に移動させて固定する。すなわち、紐状部材３を嵌挿部25から引っ張り出して本体部２の開口21を絞った状態を維持する状態に、固定部材33を固定する。この固定により、紐状部材３が物品に張設する状態となり、屋外保護カバー１が物品を覆った状態でパレットに取り付けられる。
【００３３】
一方、屋外保護カバー１を取り外す場合には、固定部材33の固定状態を解除して本体部２の開口21を広げる。
そして、本体部２の上部の２箇所を摘み上げるように屋外保護カバー１を上方に引き揚げて取り外す。
【００３４】
（実施形態の作用効果）
上述したように、上記実施形態では、底面に開口21を有する本体部２の開口縁近傍に、開口21を絞って取り付けるための紐状部材３を挿通する筒状の嵌挿部25を設けている。この嵌挿部25には、紐状部材３の引出端部31が引き出される底面の一角部に切り欠き形成した引出切欠部26と、底面の他の３つの角部からそれぞれ所定の距離で対をなして離間し他の角部をそれぞれ挟む対となる位置に切欠形成した切欠対部27とを設けている。
このため、紐状部材３が特に角挿通部28にて覆われ、屋外保護カバー１を着脱する際に紐状部材３が物品に引っ掛かることを防止でき、容易に着脱できる。さらに、角挿通部28と辺挿通部29との間の切欠対部27により、取付時の本体部２の開口21の絞りまたは取り外し時の開口21の広げが容易にでき、単に紐状部材３を本体部２に対して引っ張ったり弛めたりするのみで容易に着脱できる。そして、開口縁に引出切欠部26および切欠対部27が点在する筒状の嵌挿部25、すなわち角挿通部28および辺挿通部29にて嵌挿部25を構成する簡単な構造で、容易に製造できる。
【００３５】
そして、上記実施形態では、角部の近傍に位置する角部を挟む位置の切欠対部27を、角部から等距離の位置に設けている。
このため、本体部２が側面の側辺近い位置となる切欠対部27の位置で折り重なるように絞られることとなり、特に開口21の絞りが容易にできるとともに、対をなす切欠対部27が角部から対象の位置となるので、構造のさらなる簡略化による製造性の向上が図れる。
【００３６】
また、上記実施形態では、切欠対部27における開口縁の周方向の幅寸法を５０ｍｍ以上１５０ｍｍ以下としている。
このため、紐状部材３を引っ張って開口21を絞ったり、紐状部材３を弛めて開口21を広げたりすることが容易にできるとともに、本体部２を物品に被せる際や取り外す際に紐状部材３が物品に引っ掛かることを防止でき、容易に着脱作業ができる。
さらに、上記実施形態では、引出切欠部26の角部からの幅寸法を切欠対部27と同寸法とすることで、より作業性の向上が得られる。
【００３７】
そして、上記実施形態では、紐状部材３の少なくとも引き出された引出端部31を、明色もしくは注意喚起を促す黄色系または赤色系としてもよい。
この構成とすることで、引き出された紐状部材３の両端部が視認し易いので、着脱時に紐状部材３の引き出された両端部を引っ張ったり弛めたりする作業をする際の紐状部材３の両端部を見付けやすく、作業性を向上できる。また、色により、物品の種別管理も可能となり、利便性を向上できる。
【００３８】
また、上記実施形態では、紐状部材３の引き出された引出端部31同士を一体的に連結している。
このため、紐状部材３の一端側のみ引っ張って外れてしまうなどの不都合を防止でき、一体的に連結する部分を持って引っ張ったり弛めたりすればよく、作業性を向上できる。
【００３９】
さらに、上記実施形態では、本体部２の外表面を銀色系としてもよい。
この構成とすることで、太陽光を効率よく反射して内部の物品を保護できるとともに、外部から視認しやすく、外部から衝突するなどの不都合を防止できる。
【００４０】
そして、上記実施形態では、本体部２の収容空間22を直方体形状、すなわち広く利用されているパレット積みの物品の保護カバーとしている。
このため、底面が四角形であることから、構造が簡単で、着脱時に紐状部材３が引っ掛かる不都合がなく、開口21の絞りや広げ作業も容易で、作業性が顕著に容易となるとともに、汎用品として広く利用でき、量産化による安価な提供が容易にできる。
【００４１】
（変形例）
なお、本考案は、上述の各実施形態に限定されるものではなく、本考案の目的を達成できる範囲での変形、改良などは、本考案に含まれるものである。
すなわち、本体部２を四角柱状に形成したが、例えば三角柱状、五角柱状など、多角柱状であれば、同様の作用効果が得られる。また、パレット積みされた物品を対象とする場合に限らず、棚などの１固体を覆うものなど、各種用途に適用できる。
なお、底面が８角以下の多角形となる角柱状もしくは裁頭形状が好ましい。すなわち、９角以上の多角形となる場合には、汎用性が低くなるとともに、角部の角度が広くなって円柱状の場合に挿通部を点在した場合と差異がなくなり、本体部２の側面における角部の両側近傍で絞られる状態が得られにくくなるためである。
【００４２】
また、紐状部材３が引き出される引出切欠部26以外の角部の両側に位置する状態に切欠対部をそれぞれ設け、各辺に辺挿通部29を１つずつ設けた構成としたが、辺挿通部29にさらに切欠部を設けた構成としてもよい。
なお、切欠部が多くなると、紐状部材３を引き出して絞る作業の際に、本体部の重なり合うように絞られる位置が全体的に均等となるようにする作業が必要となり、作業性の向上が図れなくなるおそれがあるため、少ない方がこのましい。
【００４３】
そして、切欠対部27を角部の位置で対称となるように角部から等距離となる位置に設けたが、角部から異なる距離の位置に設けてもよい。
また、各切欠対部27の幅寸法を異なる幅寸法としてもよい。
さらに、切欠対部27の角部からの距離と、引出切欠部26の角部からの幅寸法とは、異なってもよい。
【００４４】
そして、上述した各実施形態において、袋状部24を設けなくてもよい。
また、紐状部材３の引出端部31を結束しなくてもよい。
さらに、固定部材33を設けなくてもよい。
【００４５】
その他、本考案の実施における具体的な構成および形態などは、本考案の目的を達成できる範囲で他の構造などとしてもよい。
【実施例】
【００４６】
次に、実施例および比較例を挙げて本考案をより具体的に説明する。なお、本考案は実施例などの内容に何ら限定されるものではない。
図４は、本考案を説明するための比較例１の屋外保護カバーの紐状部材と切欠部との関係を模式的に示す説明図である。図５は、本考案を説明するための比較例６の屋外保護カバーの紐状部材と切欠部との関係を模式的に示す説明図である。
【００４７】
（実施例１）
実施例１は、ポリエチレンのラミネートクロスシートを用い、図１から図３に示す上記実施形態の形状に形成した。すなわち、本体部２は、横寸法が１４５０ｍｍ、縦寸法が１２００ｍｍ、高さ寸法が１２５０ｍｍ、厚さ寸法が０．５ｍｍで形成した。引出切欠部26の幅寸法を角部の位置から１００ｍｍずつの計２００ｍｍ、切欠対部27の幅寸法を１００ｍｍで角部から１００ｍｍの対称となる等距離で形成した。
紐状部材３は、径寸法が６ｍｍのポリエチレンロープを用いた。
【００４８】
（比較例１）
比較例１は、ポリエチレンのラミネートクロスシートを用い、図４に示すように、角部の位置で切欠41を設けたものである。これら切欠41は、角部の位置から１００ｍｍずつの計２００ｍｍの幅寸法で形成した。
（比較例２）
比較例２は、比較例１で横寸法の角部（図４中の矢印Ａの位置）にのみ切欠41を設けた。
（比較例３）
比較例３は、比較例１における切欠41を、引出端部31対して対角の位置（図４中の矢印Ｂの位置）にのみ設けたものである。
（比較例４）
比較例４は、比較例１における切欠41を、縦寸法の角部（図５中の矢印Ｃの位置）にのみを設けたものである。
（比較例５）
比較例５は、比較例２における切欠41を、矢印Ａ，Ｃの双方に設けたものである。
【００４９】
（比較例６）
比較例６は、ポリエチレンのラミネートクロスシートを用い、図５に示すように、底面の各辺の中央に幅寸法３００ｍｍの切欠51を設けたものである。なお、紐状部材３の引出端部31を引き出す部分は、孔52を開けた。
（比較例７）
比較例７は、比較例６における短い縦寸法の辺（図５中の矢印Ａ）の位置に切欠51を設けたものである。
（比較例８）
比較例８は、比較例６における長い横寸法の辺（図５中の矢印Ｂ）の位置に切欠51を設けたものである。
【００５０】
（作業性の官能試験）
パレットにフレキシブルコンテナを積載したものに、上述した各カバーを着脱する際の作業性について、比較評価した。
評価した項目は、紐状部材３を締め付けたときの状態確認と、取り付けた状態での剥がれ（外れ）にくさの確認と、取り外す際の作業のしやすさと、について観察した。
【００５１】
（結果）
比較例１は、締め付け作業時に十分な締め付けが得られ、外れにくかったが、紐状部材３が物品に引っ掛かることにより１人では取り外しできなかった。
比較例２，４は、取り外しの際に作業者が切欠側に立ち作業することによって紐状部材３が引っ掛からずに比較的容易に取り外せたが、締め付け作業時には十分な締め付けが得られず、外れやすかった。
比較例３は、締め付け作業時に十分な締め付けが得られず、紐状部材３が物品に引っ掛かることにより取り付け時に外れにくくなった。しかしその反面、比較例１と同様に、紐状部材３が引っ掛かるなどして１人では取り外しできなかった。
比較例５は、締め付け作業時に比較的によい締め付けが得られたが、切欠がないＢの部分では外れやすく、切欠があるＡ，Ｃの部分では物品に引っ掛かるため１人では取り外しできなかった。
比較例６〜８は、取り外しは１人でも比較的に容易にできたが、締め付け時に十分な締め付けが得られず、外れやすかった。
一方、実施例１では、良好な締め付け状態が得られ、外れずに、容易に取り外しでき、作業性に優れていることがわかった。
【産業上の利用可能性】
【００５２】
本考案は、屋外に設置される物品に着脱可能に取り付けられるカバーで、特に、パレット積みされる物品のカバーに好適である。
【符号の説明】
【００５３】
１……屋外保護カバー
２……本体部
３……紐状部材
２１……開口
２２……収納空間
２５……嵌挿部
２６……引出切欠部（切欠部）
２７……切欠対部（切欠部）
２８……角挿通部（挿通部）
２９……辺挿通部（挿通部）
３１……引出端部
【図１】
0003154380.tif 000003
【図２】
0003154380.tif 000004
【図３】
0003154380.tif 000005
【図４】
0003154380.tif 000006
【図５】
0003154380.tif 000007